(57)【要約】【課題】被写体への放射線の曝射量を低減しながら欠陥領域による画質の劣化を防止する。【解決手段】被写体Ｓが放射線画像検出器３の前にある状態で関心領域ＲＯＩが設定される。その後、関心領域ＲＯＩ内に欠陥領域ＲＦが存在するか否かが判定され、関心領域ＲＯＩ内に欠陥領域ＲＦが存在している場合、被写体Ｓまたは放射線画像検出器３の相対移動量が算出される。そして、被写体Ｓまたは放射線画像検出器３が算出した相対移動量だけ移動した後、放射線撮影が行われて放射線画像Ｐが検出される。【選択図】図２
2010094196.tif 000002
【特許請求の範囲】
【請求項１】
被写体に放射線を照射する放射線源と、
該放射線源から前記被写体に前記放射線が照射され該被写体を透過した前記放射線を検出して放射線画像を取得する放射線画像検出器と、
該放射線画像検出器と前記被写体との相対位置を変更させるために該放射線画像検出器または前記被写体を移動させる相対位置変更手段と、 
該放射線画像検出器の欠陥領域の位置を記憶した欠陥領域記憶手段と、
前記放射線画像検出器内において関心領域を設定する関心領域設定手段と、
該関心領域設定手段において設定された前記関心領域内に前記欠陥領域記憶手段に記憶された前記欠陥領域が含まれているか否かを判定する重複判定手段と、
該重複判定手段において前記欠陥領域が前記関心領域に含まれていると判定されたとき、前記関心領域から前記欠陥領域が除外されるような前記相対位置にするための相対移動量を算出する移動量算出手段と、
該移動量算出手段により算出された前記移動量に基づき前記相対位置変更手段による前記放射線画像検出器または前記被写体の相対移動を制御する移動制御手段と
を備えたことを特徴とする放射線画像検出装置。
【請求項２】
前記相対位置変更手段が前記放射線画像検出器または前記被写体の位置を検出面に対し平行移動もしくは回転移動させるものであることを特徴とする請求項１記載の放射線画像検出装置。
【請求項３】
前記欠陥領域記憶手段が前記欠陥領域の位置とともに欠陥の大きさおよび度合いを記憶したものであり、
前記重複判定手段が前記欠陥の大きさおよび度合いが所定しきい値以上の前記欠陥領域が前記関心領域に重複するか否かを判定するものであることを特徴とする請求項１または２記載の放射線画像検出装置。
【請求項４】
前記移動量算出手段が、前記放射線画像検出器が異なる移動方向の複数の前記相対移動量を候補移動量として算出するものであり、
前記移動制御手段が、前記複数の候補移動量のうちいずれか１つの該候補移動量を選択して前記放射線画像検出器または前記被写体の相対移動を制御するものであることを特徴とする請求項１から３のいずれか１項記載の放射線画像検出装置。
【請求項５】
前記相対位置変更手段により前記被写体と前記放射線画像検出器との相対位置が移動した状態で取得された前記放射線画像に対し前記放射線画像検出器または前記被写体の前記相対移動量に応じた補正を施す画像補正手段をさらに備えたものであることを特徴とする請求項１から４のいずれか１項記載の放射線画像検出装置。
【請求項６】
前記重複判定手段による判定結果を表示装置に表示させる表示制御手段をさらに備えたことを特徴とする請求項１から５のいずれか１項記載の放射線画像検出装置。
【請求項７】
前記欠陥領域記憶手段が、本撮影前に該本撮影よりも低曝射量で撮影を行うことにより取得された前記放射線画像から検出された前記欠陥領域を記憶したものであることを特徴とする請求項１から６のいずれか１項記載の放射線画像検出装置。
【請求項８】
被写体に放射線を照射する放射線源と、該放射線源から前記被写体に前記放射線が照射され該被写体を透過した前記放射線を検出して放射線画像を取得する放射線画像検出器と、該放射線画像検出器と前記被写体との相対位置を変更させるために前記放射線画像検出器または前記被写体を移動させる相対位置変更手段とを有する放射線画像装置の制御方法であって、
前記放射線画像検出器上において関心領域を設定し、
設定した前記関心領域内に欠陥領域記憶手段に予め記憶している欠陥領域が含まれているか否かを判定し、
前記欠陥領域が前記関心領域に含まれていると判定したとき、前記関心領域から前記欠陥領域が除外されるような相対位置にするための相対移動量を算出し、
算出した前記移動量に基づき前記相対位置変更手段により前記放射線画像検出器または前記被写体を相対移動させる
ことを特徴とする放射線画像検出装置の制御方法。
【発明の詳細な説明】
【技術分野】
【０００１】
本発明は、被写体に放射線を照射することにより放射線画像を検出する放射線画像検出装置およびその制御方法に関するものである。
【背景技術】
【０００２】
従来、医療分野などにおいて、被写体を透過した放射線の照射により被写体に関する放射線画像を記録する放射線検出器が各種提案、実用化されている。上記放射線検出器としては、たとえば、放射線の照射により電荷を発生するアモルファスセレンを利用した放射線検出器があり、そのような放射線検出器として、アクティブマトリクス基板を用いていわゆるＴＦＴ読取方式と呼ばれるものが提案されている。アクティブマトリクス基板は、複数の分割電極と、各分割電極によって収集された電荷をそれぞれ蓄積する複数の蓄積容量と、各蓄積容量に蓄積された電荷をそれぞれ読み出すための複数のＴＦＴスイッチとを備えている。
【０００３】
ここで、上述した放射線画像検出器の各画素において欠陥画素が発生し、あるいは天板や検出器のカバーに汚れが付着することにより正しい画像情報が得られない欠陥領域が存在する場合がある。この欠陥領域の存在は放射線画像の画質の劣化を招く原因となる。そこで、従来、種々の方法により欠陥による画質の劣化を防止する種々の方法が提案されている。
【０００４】
たとえば、特許文献１には、放射線画像検出器が所定の単位素子ホルダ毎に交換可能な構成を有しており、欠陥が生じた単位素子ホルダを交換又は修理することが開示されている。また、特許文献２には、欠陥画素の画像データを隣接する他の画素の画像データに基づいて補間する方法が開示されている。
【０００５】
さらに、上述した特許文献１、２のような手法の他に、放射線画像検出器を移動させることにより、欠陥による画質劣化を防止する方法が提案されている（たとえば特許文献３、４参照）。特許文献３、４には、放射線画像検出器を被写体に対し相対的に移動させることにより、他の正常な画素を用いて撮影対象を撮影することが提案されている。
【特許文献１】特開平１１−１２６８９０号公報
【特許文献２】特開２００５−３２４０１５号公報
【特許文献３】特開２０００−１３４５３９号公報
【特許文献４】特開２００３−１５６５６５号公報
【発明の開示】
【発明が解決しようとする課題】
【０００６】
しかし、特許文献３、４において、１枚の放射線画像を取得するために放射線画像検出器の位置をずらして複数回撮影をする必要がある。このため、被写体への放射線曝射量が多くなってしまうという問題がある。
【０００７】
そこで、本発明は、被写体への放射線の曝射量を低減しながら欠陥領域による画質の劣化を防止することができる放射線画像検出装置およびその制御方法を提供することを目的とするものである。
【課題を解決するための手段】
【０００８】
本発明の放射線画像検出装置は、被写体に放射線を照射する放射線源と、放射線源から被写体に放射線が照射され被写体を透過した放射線を検出して放射線画像を取得する放射線画像検出器と、放射線画像検出器と被写体との相対位置を変更させるために放射線画像検出器または被写体を移動させる相対位置変更手段と、放射線画像検出器の欠陥領域の位置を記憶した欠陥領域記憶手段と、放射線画像検出器内において関心領域を設定する関心領域設定手段と、関心領域設定手段において設定された関心領域内に欠陥領域記憶手段に記憶された欠陥領域が含まれているか否かを判定する重複判定手段と、重複判定手段において欠陥領域が関心領域に含まれていると判定されたとき、関心領域から欠陥領域が除外されるような相対位置にするための相対移動量を算出する移動量算出手段と、移動量算出手段により算出された移動量に基づき相対位置変更手段による放射線画像検出器または被写体の相対移動を制御する移動制御手段とを備えたことを特徴とするものである。
【０００９】
本発明の放射線画像検出装置の制御方法は、被写体に放射線を照射する放射線源と、放射線源から被写体に放射線が照射され被写体を透過した放射線を検出して放射線画像を取得する放射線画像検出器と、放射線画像検出器と被写体との相対位置を変更させるために放射線画像検出器または被写体を移動させる相対位置変更手段とを有する放射線画像装置の制御方法であって、放射線画像検出器上において関心領域を設定し、設定した関心領域内に欠陥領域記憶手段に予め記憶している欠陥領域が含まれているか否かを判定し、欠陥領域が関心領域に含まれていると判定したとき、関心領域から欠陥領域が除外されるような相対位置にするための相対移動量を算出し、算出した移動量に基づいて前記相対位置変更手段により放射線画像検出器または被写体を相対移動させることを特徴とするものである。
【００１０】
ここで、放射線画像検出器は、被写体を透過した放射線を放射線画像として検出するものであればその方式を問わず、たとえばいわゆるＴＦＴ（薄膜トランジスタ）方式の放射線画像検出器であってもよいし、いわゆる光読出方式の放射線画像検出器であってもよい。
【００１１】
また、欠陥領域は、被写体の像を正確に読み出すことができない領域を意味し、たとえば欠陥画素が存在する場合のみならず、検出器のカバーや天板に汚れ等が付着した場合も含む。
【００１２】
なお、相対位置変更手段は、放射線画像検出器に対し被写体を移動させる可動ベッド等の被写体移動手段であってもよいし、被写体に対し放射線画像検出器を移動させる検出器移動手段であってもよいし、双方からなるものであってもよい。また、相対位置変更手段は被写体と放射線画像検出器との相対位置を変更させるものであればその移動方向は問わず、たとえば放射線画像検出器の検出面に対し平行移動させるものであってもよいし、回転移動させるものであってもよい。
【００１３】
また、欠陥領域記憶手段が欠陥領域の位置とともに欠陥の大きさおよび度合いを記憶したものであってもよい。このとき、重複判定手段は、欠陥の大きさおよび度合いが所定しきい値以上の欠陥領域が関心領域に重複するか否かを判定するものであってもよい。なお、この欠陥領域記憶手段は、本撮影前に該本撮影よりも低曝射量で撮影を行うことにより取得された放射線画像から検出された欠陥領域を記憶したものであってもよいし、定期的に行われるキャリブレーションにより検出された欠陥領域を記憶したものであってもよい。
【００１４】
さらに、移動量算出手段が、１つの移動方向および移動量を算出するものであってもよいし、放射線画像検出器が異なる移動方向の複数の移動量を候補移動量として算出するものであってもよい。このとき、移動制御手段は、複数の候補移動量のうちいずれか１つの候補移動量を選択して放射線画像検出器の移動を制御するものであってもよい。なお、移動制御手段は、複数の候補移動量から一の候補移動量を選択する際、最も移動量が少ない候補移動量を自動的に選択するようにしてもよいし、操作者からの入力に基づき選択するようにしてもよい。
【００１５】
また、相対位置変更手段により放射線画像検出器が移動した状態で取得された放射線画像に対し放射線画像検出器の移動量に応じた補正を施す画像補正手段をさらに備えたものであってもよい。
【００１６】
さらに、重複判定手段による判定結果を表示装置に表示させる表示制御手段をさらに備えていてもよい。
【発明の効果】
【００１７】
本発明の放射線画像検出装置およびその制御方法によれば、被写体に放射線を照射する放射線源と、放射線源から被写体に放射線が照射され被写体を透過した放射線を検出して放射線画像を取得する放射線画像検出器と、放射線画像検出器と被写体との相対位置を変更させるために放射線画像検出器または被写体を移動させる相対位置変更手段とを有し、放射線画像検出器上において関心領域を設定し、設定した関心領域内に欠陥領域記憶手段に予め記憶している欠陥領域が含まれているか否かを判定し、欠陥領域が関心領域に含まれていると判定したとき、関心領域から欠陥領域が除外されるような相対位置にするための相対移動量を算出し、算出した移動量に基づいて相対位置変更手段により放射線画像検出器または被写体を移動させることにより、画像診断に使用される関心領域と欠陥領域との相対位置に基づいて放射線画像検出器または被写体を移動させるため、従来のように放射線画像検出器上のすべての検出可能範囲において放射線画像を取得する必要がなく、被写体への放射線の曝射を低減させながら欠陥領域による画質の劣化を防止することができる。
【００１８】
なお、相対位置変更手段が放射線画像検出器または被写体の位置を検出面に対し平行移動もしくは回転移動させるものであるとき、放射線画像検出器または被写体の相対移動の自由度を向上させて放射線画像検出器または被写体の相対移動量を小さくすることができ、効率的に放射線画像検出器または被写体の移動を行うことができる。
【００１９】
また、欠陥領域記憶手段が欠陥領域の位置とともに欠陥の大きさおよび度合いを記憶したものであり、重複判定手段が欠陥の大きさおよび度合いが所定しきい値以上の欠陥領域が関心領域に重複するか否かを判定するものであれば、画質劣化に影響を及ぼす欠陥領域が存在した場合のみ放射線画像検出器または被写体を相対移動させることになるため、不要な放射線画像検出器または被写体の相対移動を防止することができる。
【００２０】
さらに、移動量算出手段が、放射線画像検出器が異なる移動方向の複数の相対移動量を候補移動量として算出するものであり、移動制御手段が、複数の候補移動量のうちいずれか１つの候補移動量を選択して放射線画像検出器または被写体の移動を制御するものであるとき、装置が設定されている部屋の広さや被写体の性質等の使用環境に合わせて移動方向を決定することができるため、装置の使い勝手を向上させることができる。
【００２１】
また、相対位置変更手段により放射線画像検出器または被写体が相対移動した状態で取得された放射線画像に対し放射線画像検出器または被写体の相対移動量に応じた補正を施す画像補正手段をさらに備えたものであれば、放射線画像検出器または被写体の平行移動により放射線画像内における関心領域の位置がずれた場合や回転移動により放射線画像内の被写体が傾いた場合であっても、相対移動量に応じた補正を行うことにより画質の劣化を防止することができる。
【００２２】
さらに、重複判定手段による判定結果を表示装置に表示させる表示制御手段をさらに備えたとき、操作者が関心領域と欠陥領域との相対位置を把握することができ、放射線画像検出器または被写体を相対移動させる必要があるか否かを事前に判断することができる。
【発明を実施するための最良の形態】
【００２３】
以下、図面を参照して本発明の放射線画像検出装置について説明する。図１は放射線画像を取得する放射線画像検出装置の好ましい実施形態を示す模式図、図２はそのブロック図である。放射線画像検出装置１は、放射線源２、放射線画像検出器３、相対位置変更手段１１、放射線源移動手段１２を備えている。放射線源２は、被写体Ｓに対し放射線を照射するものであって、移動制御手段５０により制御されている。放射線画像検出器３は、被写体Ｓを透過した放射線からなる放射線画像情報を静電潜像として蓄積し、蓄積した静電潜像を読み取ることにより放射線の透過率分布を放射線画像Ｐとして検出するものである。なお、放射線画像検出器３は放射線を検出して画像情報として出力するものであればその構成を問わず、たとえばＴＦＴ方式の固体検出器であってもよいし光読出方式の固体検出器であってもよい。
【００２４】
相対位置変更手段１１は、被写体Ｓと放射線画像検出器３との相対位置を変更するために、放射線画像検出器３を移動させるものである。具体的には、相対位置変更手段１１は放射線画像検出器３を検出面に沿って平行移動（矢印ＹＺ方向）および回転移動させるものであって、たとえばレールおよびベアリングとモータ等の駆動手段とにより構成されている。ここで、図３は放射線画像検出器３が移動する様子を示す模式図である。相対位置変更手段１１は、図３Ａに示すような標準的な位置に位置決めされた放射線画像検出器３を図３Ｂに示すように回転方向θに対し回転移動させるとともに、図３Ｃに示すように水平方向（矢印Ｙ方向）もしくは垂直方向（矢印Ｚ方向）に移動させることができる。
【００２５】
この相対位置変更手段１１は移動制御手段５０の制御に基づき放射線画像検出器３を移動させて放射線画像検出器３と被写体Ｓとの相対位置を変更させる。なお、駆動手段による移動のみならず、技師が手動で相対位置及び傾きを変えられるような構造を有するものであってもよい。このとき放射線画像検出器３に取手が取り付けられており、相対位置変更手段１１は技師やパワーアシストから加わる力により放射線画像検出器３を移動させる。
【００２６】
図１の放射線源移動手段１２は、上記放射線画像検出器３の位置に合わせて放射線の照射位置が変更するように放射線源２を移動させるものである。なお、図１においては、放射線源２が放射線画像検出器３に同期して移動させることにより照射位置を変更するようにしているが、放射線源２を揺動させることにより放射線の照射位置を変更させるようにしてもよい。
【００２７】
図２において、放射線画像検出装置１は、関心領域設定手段２０、重複判定手段３０、移動量算出手段４０、移動制御手段５０をさらに備えている。関心領域設定手段２０は、図３Ａ〜Ｃに示すように、放射線画像検出器３内の所定の位置を関心領域ＲＯＩとして設定するものである。ここで、関心領域設定手段２０は、たとえば撮影モードおよび撮影部位に応じて寸法、形状・基準位置が予め設定されており、操作者から入力される撮影モードおよび撮影部に応じて関心領域ＲＯＩの寸法・形状・基準位置が自動的に設定される物であってもよいし、操作者からの入力に基づき関心領域ＲＯＩを設定するものであってもよい。
【００２８】
重複判定手段３０は、関心領域設定手段２０において設定された関心領域ＲＯＩに欠陥領域記憶手段ＦＤＢに記憶された欠陥領域ＲＦが含まれているか否かを判定するものである。ここで、欠陥領域記憶手段ＦＤＢには、正しく画像情報を取得することができない欠陥領域ＲＦの位置とともに欠陥領域ＲＦの大きさおよび画質劣化の度合いが記憶されている。なお、この欠陥領域記憶手段ＦＤＢの欠陥領域ＲＦは、本撮影前の本撮影よりも低曝射量で撮影を行うプレ曝射により取得された放射線画像から検出したものであってもよいし、定期的に行われるキャリブレーションにより更新されるものであってもよい。
【００２９】
そして、重複判定手段３０は、関心領域ＲＯＩ内に欠陥領域ＲＦが含まれているか否かを判定する（図３Ａ参照）。特に、重複判定手段３０は、欠陥領域記憶手段ＦＤＢに記憶されている欠陥領域ＲＦのうち、画質の劣化に影響を及ぼす大きさおよび度合いの欠陥領域ＲＦのみ関心領域ＲＯＩに含まれているか否かを判断する。そして、重複判定手段３０は、欠陥領域記憶手段ＦＤＢに記憶された複数の欠陥領域ＲＦのうち、設定しきい値以上の大きさおよび設定しきい値以上の欠陥程度を有する欠陥領域ＲＦを抽出し、抽出した欠陥領域ＲＦが関心領域ＲＯＩ内に含まれているか否かを判定する。これにより、画質の劣化に影響を及ぼさないような欠陥領域ＲＦについては、放射線画像検出器３の移動を行わずに済むため、効率的な放射線撮影を行うことができる。なお、上述した設定しきい値は、予め設定されたものであってもよいし、操作者が入力するものであってもよい。
【００３０】
移動量算出手段４０は、重複判定手段３０において欠陥領域ＲＦが関心領域ＲＯＩに含まれていると判定されたとき、関心領域ＲＯＩから欠陥領域ＲＦが除外されるように被写体Ｓと放射線画像検出器３との相対位置を算出するものである。この移動量算出手段４０は、相対位置変更手段１１により放射線画像検出器３が移動可能な移動可能範囲の情報を有しており、この移動可能範囲内において放射線画像検出器３の相対移動量を算出する。特に、移動量算出手段４０は、関心領域ＲＯＩから欠陥領域ＲＦが除外されるような複数の相対移動量を候補移動量として算出する機能を有している。
【００３１】
すなわち、図３Ａのように関心領域ＲＯＩと欠陥領域ＲＦとが重複している場合、重複を回避する方法として図３Ｂのように放射線画像検出器３を回転させる方法と図３Ｃのように放射線画像検出器３を平行移動させる方法とがある。このとき、移動量算出手段４０は、上述した移動方向の異なる２つの相対移動量を候補移動量として算出する機能を有している。
【００３２】
移動制御手段５０は、移動量算出手段４０により算出された相対位置に放射線画像検出器３を移動させるように相対位置変更手段１１を制御するものである。ここで、上述したように、移動量算出手段４０が複数の相対位置を算出して操作者に複数の候補移動量を提示した場合、移動制御手段５０は操作者により選択された候補移動量に従い相対位置変更手段１１の移動を制御するようにしてもよい。なお、移動制御手段５０は、複数の候補移動量のうち最も移動量の少ない候補移動量に基づいて放射線画像検出器３を移動させてもよいし、回転移動もしくは平行移動のいずれか一方の優先度を高く設定しておき、当該設定に従い放射線画像検出器３を移動させるようにしてもよい。
【００３３】
画像補正手段６０は、相対位置変更手段１１により放射線画像検出器３が移動した状態で取得された放射線画像Ｐに対し、放射線画像検出器３の相対移動量に応じた補正を施すものである。すなわち、図３Ｂのように放射線画像検出器３を回転させて放射線撮影した場合、放射線画像内の関心領域ＲＯＩの被写体像は回転方向に傾くことになる。このとき、画像補正手段６０は、関心領域ＲＯＩを放射線画像検出器３の回転方向とは逆方向に回転させる補正を施す。また、図３Ｃのように放射線画像検出器３を平行移動させて放射線撮影した場合、放射線画像Ｐ内の関心領域ＲＯＩは位置が中央からずれた状態になる。このとき、画像補正手段６０は、関心領域ＲＯＩが放射線画像Ｐの中央に位置するように移動させもしくはトリミング処理する。なお、画像補正手段６０は、回転移動させたときに放射線画像Ｐが標準的に円形形状を有しているものであれば補正しなくてもよい。
【００３４】
表示制御手段７０は、各種情報を表示させるために表示装置１００を制御するものである。たとえば、表示制御手段７０は、たとえば図３Ａに示すような重複判定手段３０が判定した重複領域の結果を表示装置１００に出力する機能を有している。さらに、表示制御手段７０は、画像補正手段６０により補正後の放射線画像Ｐ１を表示する際、画像欠陥情報を重ねて表示して異常陰影ではなく画像欠陥であることを明示する機能を有している。
【００３５】
このように、関心領域ＲＯＩのみに注目し欠陥領域ＲＦに重複していないか否かを判定することにより、従来のように、複数回の放射線撮影をする必要が低減され、被写体Ｓに対する曝射量を低減させながら欠陥領域による画質の劣化を防止することができる。また、欠陥領域ＲＦが生じた場合であっても、放射線画像検出器３を移動させることにより正常な放射線画像Ｐを取得することができるため、一部の欠陥により放射線画像検出器３のすべてを交換する必要がなく、放射線画像検出器３の寿命が延び、装置のダウンタイムを短くすることができる。
【００３６】
図４は本発明の放射線画像検出装置の制御方法の好ましい実施形態を示すフローチャートであり、図１から図４を参照して放射線画像検出装置の制御方法について説明する。まず、被写体Ｓが放射線画像検出器３の前に立った状態で、関心領域設定手段２０により関心領域ＲＯＩが設定される（ステップＳＴ１）。その後、重複判定手段３０において、関心領域ＲＯＩ内に欠陥領域ＲＦが存在するか否かが判定される（ステップＳＴ２）。そして、関心領域ＲＯＩ内に欠陥領域ＲＦが存在しない場合、放射線画像検出器３を移動させることなく、放射線撮影が行われる（ステップＳＴ３）。
【００３７】
一方、関心領域ＲＯＩ内に欠陥領域ＲＦが存在している場合（図３Ａ参照）、移動量算出手段４０により被写体Ｓに対する放射線画像検出器３の相対移動量が算出される（ステップＳＴ４）。そして、移動制御手段５０の制御により相対位置変更手段１１が作動し、放射線画像検出器３が算出した相対移動量だけ移動した後（図３Ｂ、図３Ｃ参照）、放射線撮影が行われて放射線画像Ｐが検出される（ステップＳＴ５）。その後、画像補正手段６０において放射線画像検出器３により検出された放射線画像Ｐに対し放射線画像検出器３の相対移動量の分だけ傾き補正もしくはトリミング処理等が施される（ステップＳＴ６）。
【００３８】
上記実施の形態によれば、被写体Ｓに放射線を照射する放射線源２と、放射線源２から被写体Ｓに放射線が照射され被写体Ｓを透過した放射線を検出して放射線画像を取得する放射線画像検出器３と、放射線画像検出器３と被写体Ｓとの相対位置を変更させるために放射線画像検出器３を移動させる相対位置変更手段１１とを有し、放射線画像検出器３上において関心領域ＲＯＩを設定し、設定した関心領域ＲＯＩ内に欠陥領域記憶手段ＦＤＢに予め記憶している欠陥領域ＲＦが含まれているか否かを判定し、欠陥領域ＲＦが関心領域ＲＯＩに含まれていると判定したとき、関心領域ＲＯＩから欠陥領域ＲＦが除外されるような放射線画像検出器３の相対移動量を算出し、算出した相対移動量に基づいて放射線画像検出器３を移動させることにより、画像診断に使用される関心領域ＲＯＩと欠陥領域ＲＦとの相対位置に基づいて放射線画像検出器３を移動させるため、従来のように放射線画像検出器上のすべての検出可能範囲において放射線画像を取得する必要がないため、被写体への放射線の曝射を低減させながら欠陥領域による画質の劣化を防止することができる。
【００３９】
また、図３に示すように、相対位置変更手段１１が放射線画像検出器３を検出面に対し平行移動もしくは回転移動させるものであるとき、放射線画像検出器３の移動の自由度を向上させて放射線画像検出器３の相対移動量を小さくすることができ、効率的に放射線画像検出器３の移動を行うことができる。
【００４０】
また、図２の欠陥領域記憶手段ＦＤＢが欠陥領域ＲＦの位置とともに欠陥の大きさおよび度合いを記憶したものであり、重複判定手段３０が欠陥の大きさおよび度合いが所定しきい値以上の欠陥領域ＲＦが関心領域ＲＯＩに重複するか否かを判定するものであれば、画質劣化に影響を及ぼす欠陥領域ＲＦが存在した場合のみ放射線画像検出器３を移動させることになるため、不要な放射線画像検出器３の移動を防止することができる。
【００４１】
さらに、移動量算出手段４０が、放射線画像検出器３が異なる移動方向の複数の相対移動量を候補移動量として算出するものであり、移動制御手段５０が、複数の候補移動量のうちいずれか１つの候補移動量を選択して放射線画像検出器３の移動を制御するものであるとき、装置が設定されている部屋の広さや被写体の性質等の使用環境に合わせて移動方向を決定することができるため、装置の使い勝手を向上させることができる。
【００４２】
また、相対位置変更手段１１により放射線画像検出器３が移動した状態で取得された放射線画像に対し放射線画像検出器３の相対移動量に応じた補正を施す画像補正手段６０をさらに備えたものであれば、放射線画像検出器３の平行移動により放射線画像内における関心領域の位置がずれた場合や回転移動により放射線画像内の被写体が傾いた場合であっても、相対移動量に応じた補正を行うことにより画質の劣化を防止することができる。
【００４３】
さらに、重複判定手段３０による判定結果を表示装置に表示させる表示制御手段をさらに備えたとき、操作者が関心領域ＲＯＩと欠陥領域ＲＦとの相対位置を把握することができ、放射線画像検出器３を移動させる必要があるか否かを事前に判断することができる。
【００４４】
本発明の実施の形態は上記実施の形態に限定されない。たとえば、画像欠陥が大きい或いは複数ある等の要因で、また設定された関心領域ＲＯＩが大きい或いは複数ある等の要因で、重なりが不可避となる場合や、関心領域ＲＯＩの一部が検出器範囲外となる場合が起こりうる。その場合、技師は特に注目する関心領域ＲＯＩを限定して再設定するか、或いは優先順位などを制約条件として設定可能としてもよい。また重なりが不可避な画像欠陥の個数または面積などを制約条件として設定可能としてもよい。
【００４５】
また、図１において立位タイプの放射線画像検出装置について例示しているが臥位タイプ、マンモグラフィ撮影装置、放射線ＣＴ装置にも適用可能である。さらに、図１において、相対位置変更手段１１は、放射線画像検出器３を移動させることにより相対位置を変更させる検出器移動手段として機能する場合について例示しているが、被写体Ｓ側を移動させるものであってもよい。すなわち、臥位タイプのような場合には、相対位置変更手段１１は被写体が寝ているベッドを放射線画像検出器３に対し相対移動させることにより被写体を移動させる被写体移動手段として機能するものであってもよい。さらには、相対位置変更手段１１は、放射線画像検出器３および被写体の双方を相対移動させることにより、放射線画像検出器３および被写体のそれぞれの移動量を最小限にするようにしてもよい。
【図面の簡単な説明】
【００４６】
【図１】本発明の放射線画像検出装置の好ましい実施形態を示す模式図
【図２】本発明の放射線画像検出装置の好ましい実施形態を示すブロック図
【図３Ａ】図１の放射線画像検出器が標準的な位置に位置決めされている様子を示す模式図
【図３Ｂ】図１の放射線画像検出器が回転移動した様子を示す模式図
【図３Ｃ】図１の放射線画像検出器が平行移動した様子を示す模式図
【図４】本発明の放射線画像検出装置の制御方法の好ましい実施形態を示すフローチャート
【符号の説明】
【００４７】
１     放射線画像検出装置
２     放射線源
３     放射線画像検出器
１１   相対位置変更手段
１２   放射線源移動手段
２０   関心領域設定手段
３０   重複判定手段
４０   移動量算出手段
５０   移動制御手段
６０   画像補正手段
７０   表示制御手段
１００ 表示装置
ＦＤＢ 欠陥領域記憶手段
Ｐ     放射線画像
ＲＦ   欠陥領域
ＲＯＩ 関心領域
Ｓ     被写体
【図１】
2010094196.tif 000003
【図２】
2010094196.tif 000004
【図３Ａ】
2010094196.tif 000005
【図３Ｂ】
2010094196.tif 000006
【図３Ｃ】
2010094196.tif 000007
【図４】
2010094196.tif 000008